(57)【要約】【課題】下りスケジューリング情報の復号誤りにより下り共有チャネルを受信できないことを無くすことができる基地局、移動局および通信方法を提供する。【解決手段】基地局に、移動局に対して、各ユーザに対する無線リソースの割当てを示すスケジューリング情報を送信する送信手段と、前記スケジューリング情報に対する受信確認応答が、移動局から通知されたか否かを判断する受信確認応答判断手段と、前記受信確認応答が受信されたと判断された場合に、共有チャネルを送信する共有チャネル送信手段とを備えることにより達成される。【選択図】図４
2007300508.tif 000002
【特許請求の範囲】
【請求項１】
移動局に割り当てる複数のサブフレームにより構成されるＴＴＩ長を可変に制御し、
移動局に対して、各ユーザに対する無線リソースの割当てを示すスケジューリング情報を送信する送信手段；
前記スケジューリング情報に対する受信確認応答が、移動局から通知されたか否かを判断する受信確認応答判断手段；
前記受信確認応答が受信されたと判断された場合に、共有チャネルを送信する共有チャネル送信手段；
を備えることを特徴とする基地局。
【請求項２】
請求項１に記載の基地局において：
前記受信確認応答判断手段は、前記スケジューリング情報を送信してから所定の時間が経過し、受信確認応答が通知されない場合に、受信確認応答が通知されていないと判断することを特徴とする基地局。
【請求項３】
請求項１に記載の基地局において：
受信確認応答が通知されていないと判断された場合に、割当てる予定であったＴＴＩに対応するサブフレームに対して、データ送信のためのスケジューリングを行うスケジューリング手段；
を備えることを特徴とする基地局。
【請求項４】
請求項３に記載の基地局において：
前記スケジューリング手段は、トランスポートブロック内のＲＬＣ−ＰＤＵの分割およびトランスポートブロックの多重を行うことを特徴とする基地局。
【請求項５】
請求項１に記載の基地局において：
前記スケジューリング情報に対する受信確認応答の要求を行うか否かを判断する受信確認応答要求判定手段；
前記スケジューリング情報に対する受信確認応答を行うと判断した場合に、受信確認応答の送信が必要であることを移動局に通知する通知手段；
を備えることを特徴とする基地局。
【請求項６】
請求項５に記載の基地局において：
前記受信確認応答要求判定手段は、移動局に割り当てるサブフレーム数に基づいて、所定のサブフレーム数以上である場合に、受信確認応答の要求を行うと判断することを特徴とする基地局。
【請求項７】
請求項５または６に記載の基地局において：
前記受信確認応答要求判定手段は、移動局から報告される受信品質情報に基づいて、所定の受信品質よりも悪い場合に、受信確認応答の要求を行うと判断することを特徴とする基地局。
【請求項８】
請求項５または６に記載の基地局において：
前記受信確認応答要求判定手段は、移動局からの受信信号の品質に基づいて、所定の品質よりも悪い場合に、受信確認応答の要求を行うと判断することを特徴とする基地局。
【請求項９】
請求項５に記載の基地局において：
前記通知手段は、受信確認応答の送信が必要であることをスケジューリング情報により通知することを特徴とする基地局。
【請求項１０】
請求項５に記載の基地局において：
前記通知手段は、受信確認応答の送信が必要であることをＲＲＣ（Ｒａｄｉｏ  Ｒｅｓｏｕｒｃｅ  Ｃｏｎｔｒｏｌ）により通知することを特徴とする基地局。
【請求項１１】
基地局により通知された各ユーザに対する無線リソースの割当てを示すスケジューリング情報を復号するスケジューリング情報復号手段；
前記スケジューリング情報の復号結果に応じて、前記スケジューリング情報に対する受信確認応答を生成する受信確認応答生成手段；
を備えることを特徴とする移動局。
【請求項１２】
請求項１１に記載の移動局において：
前記受信確認応答を、レイヤ１制御情報として送信する受信確認応答送信手段；
を備えることを特徴とする移動局。
【請求項１３】
請求項１１に記載の移動局において：
前記受信確認応答生成手段は、前記スケジューリング情報の一部が復号された段階で、前記スケジューリング情報に対する受信確認応答を生成することを特徴とする移動局。
【請求項１４】
基地局が、移動局に対して、各ユーザに対する無線リソースの割当てを示すスケジューリング情報を送信するスケジューリング情報送信ステップ；
移動局が、前記基地局により通知された各ユーザに対する無線リソースの割当てを示すスケジューリング情報を復号するスケジューリング情報復号ステップ；
移動局が、前記スケジューリング情報の復号結果に応じて、前記スケジューリング情報に対する受信確認応答を生成する受信確認応答生成ステップ；
基地局が、前記スケジューリング情報に対する受信確認応答が、移動局から通知されたか否かを判断する受信確認応答判断ステップ；
基地局が、前記受信確認応答が受信されたと判断された場合に、共有チャネルを送信する共有チャネル送信ステップ；
を備えることを特徴とする通信方法。
【発明の詳細な説明】
【技術分野】
【０００１】
本発明は、基地局、移動局および通信方法に関する。
【背景技術】
【０００２】
ＨＳＤＰＡ（Ｈｉｇｈ  Ｓｐｅｅｄ  Ｄｏｗｎｌｉｎｋ  Ｐａｃｋｅｔ  Ａｃｃｅｓｓ）では、データトラヒックを運ぶＨＳ−ＰＤＳＣＨは、３スロット（２ｍｓｅｃ）を単位として、固定的に決められている（例えば、非特許文献１および２参照）。ＨＳＤＰＡでは、３スロットを単位として、レイヤ２からレイヤ１にデータが転送される。
【０００３】
ＨＳＤＰＡにおける送信機会の割当てについて、図１を参照して説明する。
【０００４】
各ＵＥは、ＨＳ−ＳＣＣＨの受信を行い、自ＵＥ宛の送信機会割当の場合、後続するＨＳ−ＰＤＳＣＨを受信し、ＨＳ−ＤＳＣＨを復号する。ＨＳＤＰＡでは、各ＵＥがＨＳ−ＳＣＣＨの受信に失敗した場合、基地局はＨＳ−ＤＳＣＨに対する受信確認応答を送信できないため、ＤＴＸを検出しＨＳ−ＤＳＣＨの再送を行う。
【０００５】
一方、ｅｖｏｌｖｅｄ  ＵＴＲＡの標準化においては、可変長ＴＴＩ（Ｔｒａｎｓｍｉｓｓｉｏｎ  Ｔｉｍｅ  Ｉｎｔｅｒｖａｌ）をサポートすることが提案されている（例えば、非特許文献３、４および５参照）。
【非特許文献１】ＴＳ２５．２１１  Ｓｅｃｔｉｏｎ  ７．８
【非特許文献２】ＴＳ２５．２１４  Ｓｅｃｔｉｏｎ  ６Ａ．１．１
【非特許文献３】Ｍｏｔｏｒｏｌａ，  Ｒ２−０６０１２２，  “Ｌａｙｅｒ  １  Ｄａｔａ  Ｔｒａｎｓｆｅｒ：  Ｆｏｒｍａｔｓ  ａｎｄ  Ｄｅｆｉｎｉｔｉｏｎｓ”，  ３ＧＰＰ  ＴＳＧ  ＲＡＮ  ＷＧ２  ＃５０  Ｓｏｐｈｉａ  Ａｎｔｉｐｏｌｉｓ，  Ｆｒａｎｃｅ．  ９−１３  Ｊａｎｕａｒｙ  ２００６
【非特許文献４】Ｅｒｉｃｓｓｏｎ，  Ｒ２−０６０８６８，  “Ｉｎｃｒｅａｓｅｄ  ＴＴＩ  Ｌｅｎｇｔｈ”，  ３ＧＰＰ  ＴＳＧ−ＲＡＮ  Ｊｏｉｎｔ  ＷＧ１／ＷＧ２  Ａｔｈｅｎｓ，  Ｇｒｅｅｃｅ，  ２７−３１  Ｍａｒｃｈ  ２００６
【非特許文献５】Ｍｏｔｏｒｏｌａ，  Ｒ２−０６０９４４，  “ＨＡＲＱ  Ｃｏｎｓｉｄｅｒａｔｉｏｎｓ”，  ３ＧＰＰ  ＴＳＧ  ＲＡＮ  ＷＧ２  ＃５２  Ａｔｈｅｎｓ，  Ｇｒｅｅｃｅ，  ２７−３１  Ｍａｒｃｈ  ２００６
【発明の開示】
【発明が解決しようとする課題】
【０００６】
しかしながら、上述した背景技術には以下の問題がある。
【０００７】
可変長ＴＴＩにて、複数サブフレームにより構成されるＴＴＩ長を可変にして送信する場合においても、ＨＳＤＰＡにおけるＨＳ−ＳＣＣＨに相当する、送信割り当て機会を通知するための下りスケジューリング情報（Ｄｏｗｎｌｉｎｋ  ｓｃｈｅｄｕｌｉｎｇ  ｉｎｆｏｒｍａｔｉｏｎ：  ＤＬ−ＳＩ）が基地局から移動局に送信される。
【０００８】
移動局では、下りスケジューリング情報の復号が行われるが、ＨＳＤＰＡと同様の制御が行なわれる場合、移動局で下りスケジューリング情報の復号誤りが生じた場合でも、下り共有チャネル（Ｄｏｗｎｌｉｎｋ  ｓｈａｒｅｄ  ｃｈａｎｎｅｌ：  ＤＬ−ＳＣＨ）が送信される。この場合、受信すべき移動局が自移動局への送信割当があることを検出できない状態で、下り共有チャネルが送信されることになり、該移動局ではその下り共有チャネルを受信できない。したがって、基地局では、割り当てた送信機会の無駄が生じることになる。
【０００９】
ｅｖｏｌｖｅｄ  ＵＴＲＡの標準化においては、送信帯域として最大２０ＭＨｚ程度割り当てることが想定されており、送信帯域として５ＭＨｚ程度のＨＳＤＰＡと比較した場合、同じＴＴＩでも、送信データ量は４倍程度異なる。したがって、下り共有チャネルを受信できない場合の損失は大きくなる。
【００１０】
そこで本発明は、上記問題のうち少なくとも１つを解決するためになされたものであり、下りスケジューリング情報の復号誤りにより下り共有チャネルを受信できないことを無くすことができる基地局、移動局および通信方法を提供することを目的とする。
【課題を解決するための手段】
【００１１】
上記課題を解決するため、本発明の基地局は、
移動局に割り当てる複数のサブフレームにより構成されるＴＴＩ長を可変に制御し、
移動局に対して、各ユーザに対する無線リソースの割当てを示すスケジューリング情報を送信する送信手段；
前記スケジューリング情報に対する受信確認応答が、移動局から通知されたか否かを判断する受信確認応答判断手段；
前記受信確認応答が受信されたと判断された場合に、共有チャネルを送信する共有チャネル送信手段；
を備えることを特徴の１つとする。
【００１２】
このように構成することにより、移動局において、下りスケジューリング情報の復号誤りにより、下り共有チャネルを受信できないことを無くすことができ、基地局では、割り当てた送信機会の無駄を無くすことができる。
【００１３】
本発明の移動局は、
基地局により通知された各ユーザに対する無線リソースの割当てを示すスケジューリング情報を復号するスケジューリング情報復号手段；
前記スケジューリング情報の復号結果に応じて、前記スケジューリング情報に対する受信確認応答を生成する受信確認応答生成手段；
を備えることを特徴の１つとする。
【００１４】
このように構成することにより、下りスケジューリング情報の復号誤りにより、下り共有チャネルを受信できないことを無くすことができる。
【００１５】
本発明の通信方法は、
基地局が、移動局に対して、各ユーザに対する無線リソースの割当てを示すスケジューリング情報を送信するスケジューリング情報送信ステップ；
移動局が、前記基地局により通知された各ユーザに対する無線リソースの割当てを示すスケジューリング情報を復号するスケジューリング情報復号ステップ；
移動局が、前記スケジューリング情報の復号結果に応じて、前記スケジューリング情報に対する受信確認応答を生成する受信確認応答生成ステップ；
基地局が、前記スケジューリング情報に対する受信確認応答が、移動局から通知されたか否かを判断する受信確認応答判断ステップ；
基地局が、前記受信確認応答が受信されたと判断された場合に、共有チャネルを送信する共有チャネル送信ステップ；
を備えることを特徴の１つとする。
【００１６】
このように構成することにより、移動局において、下りスケジューリング情報の復号誤りにより、下り共有チャネルを受信できないことを無くすことができ、基地局では、割り当てた送信機会の無駄を無くすことができる。
【発明の効果】
【００１７】
本発明の実施例によれば、下りスケジューリング情報の復号誤りにより下り共有チャネルを受信できないことを無くすことができる基地局、移動局および通信方法を実現できる。
【発明を実施するための最良の形態】
【００１８】
次に、本発明の実施例について図面を参照して説明する。
なお、実施例を説明するための全図において、同一機能を有するものは同一符号を用い、繰り返しの説明は省略する。
【００１９】
本発明の実施例にかかる無線通信システムについて説明する。
【００２０】
本実施例にかかる無線通信システムは、基地局１００と移動局２００とを備える。
【００２１】
本実施例にかかる無線通信システムでは、図２に示すように、移動局２００は下りスケジューリング情報（ＤＬ−ＳＩ）を受信した場合に該ＤＬ−ＳＩに対する受信確認応答（ＤＬ−ＳＩ−Ａｃｋ）を基地局２００に送信する。基地局１００は、移動局２００からの受信確認応答を受信した場合に下り共有チャネル（ＤＬ−ＳＣＨ）の送信を行う。
【００２２】
具体的には、基地局１００は、図３に示すように、下りスケジューリング情報を移動局２００に通知する。また、基地局１００は、移動局２００からスケジューリング情報に対する受信確認応答（ＤＬ−ＳＩ−Ａｃｋ）を受信した場合に、該移動局に割り当てたＴＴＩに対応する複数のサブフレームでデータを送信する。例えば、基地局１００が２サブフレームにより構成されるＴＴＩを移動局２００に割り当てた場合には、２サブフレームでデータを送信し、基地局１００が４サブフレームにより構成されるＴＴＩを移動局２００に割り当てた場合には、４サブフレームでデータを送信し、基地局１００が８サブフレームにより構成されるＴＴＩを移動局２００に割り当てた場合には、８サブフレームでデータを送信する。基地局１００は、移動局２００に割り当てるＴＴＩを構成するサブフレーム数を可変に制御する。
【００２３】
基地局１００は、図４に示すように、送信部１０２と、スケジューリング情報生成部１０４と、共有チャネル送信手段としての共有チャネル生成部１０６と、スケジューリング手段としてのスケジューラ１０８と、データバッファ１１０と、受信部１１２と、受信確認応答判定手段としてのスケジューリング情報受信判定部１１４と、共有チャネル受信判定部１１６とを備える。
【００２４】
スケジューラ１０８において、データバッファ１１０に格納されたデータを送信するために、各ユーザに対して無線リソースを割当てるスケジューリングが行われ、スケジューリングの結果を示す情報がスケジューリング情報生成部１０４に入力される。
【００２５】
スケジューリング情報生成部１０４は、入力されたスケジューリングの結果を示す情報に基づいて、無線リソースを割当てたユーザを示す情報を含むスケジューリング情報を生成し、送信部１０２を介して、移動局２００に通知する。例えば、スケジューリング情報生成部１０４は、図５に示すような情報の少なくとも一部を含むスケジューリング情報を生成する。
【００２６】
具体的には、スケジューリング情報生成部１０４は、カテゴリ１に含まれる移動局またはグループ固有のユーザＩＤ（ＩＤ（ＵＥ  ｏｒ  ｇｒｏｕｐ  ｓｐｅｃｉｆｉｃ）、リソース割り当て情報（Ｒｅｓｏｕｒｃｅ  ａｓｓｉｇｎｍｅｎｔ）、サブフレーム数（Ｄｕｒａｔｉｏｎ  ａｓｓｉｇｎｍｅｎｔ）、カテゴリ２に含まれるマルチアンテナ関連情報（Ｍｕｌｔｉ−ａｎｔｅｎｎａ  ｒｅｌａｔｅｄ  ｉｎｆｏｒｍａｔｉｏｎ）、変調方式情報（Ｍｏｄｕｌａｔｉｏｎ  ｓｃｈｅｍｅ）およびペイロード  サイズ（Ｐａｙｌｏａｄ  ｓｉｚｅ）、カテゴリ３に含まれ、非同期ＨＡＲＱが適用される場合のプロセスナンバー（Ｈｙｂｒｉｄ  ＡＲＱ  Ｐｒｏｃｅｓｓ  ｎｕｍｂｅｒ）、冗長ビットの種類を示す情報（ＲＶ（Ｒｅｄｕｎｄａｎｃｙ  Ｖｅｒｓｉｏｎ））およびニューデータインジケータ（Ｎｅｗ  ｄａｔａ  ｉｎｄｉｃａｔｏｒ）、同期ＨＡＲＱが適用される場合の再送信シーケンス番号（Ｒｅｔｒａｎｓｍｉｓｓｉｏｎ  ｓｅｑｕｅｎｃｅ  ｎｕｍｂｅｒ）が通知される。本実施例においては、スケジューリング情報生成部１０４が、上述したすべての情報を生成する場合について説明する。スケジューリング情報生成部１０４は、生成した情報を、送信部１０２を介して移動局２００に通知する。
【００２７】
送信部１０２は、スケジューリング情報受信判定部１１４に、スケジューリング情報を送信したことを示すスケジューリング情報送信情報を通知する。
【００２８】
受信部１１２は、移動局２００から、スケジューリング情報に対する受信確認応答を受信し、該受信確認応答をスケジューリング情報受信判定部１１４に入力する。
【００２９】
スケジューリング情報受信判定部１１４は、受信部１１２により入力された受信確認応答に基づいて、移動局２００においてスケジューリング情報が受信されたか否か、例えば、スケジューリング情報の復号が成功したか否かを判定する。スケジューリング情報受信判定部１１４は、移動局２００においてスケジューリング情報が受信されたと判定した場合、スケジューラ１０８に対して、移動局２００においてスケジューリング情報が受信されたことを示すスケジューリング情報受信情報を通知する。
【００３０】
スケジューラ１０８は、スケジューリング情報受信判定部１１４からのスケジューリング情報受信情報の通知に応じて、共有チャネル生成部１０６に対して、共有チャネルを送信するように命令する。その結果、送信部１０２から共有チャネルが送信される。
【００３１】
共有チャネルに対する受信確認応答は、受信部１１２を介して、共有チャネル受信判定部１１６に入力される。共有チャネル受信判定部１１６では、移動局２００から送信された共有チャネルに対する受信確認応答に基づいて、共有チャネルが移動局２００に受信されたか否かを判断し、その結果をスケジューラ１０８に通知する。スケジューラ１０８は、共有チャネル受信判定部１１６からの通知に応じて、共有チャネルの再送、またはデータバッファ１１０に格納されたデータを送信するために、各ユーザに対して無線リソースを割当てるスケジューリングが行われる。
【００３２】
一方、スケジューリング情報受信判定部１１４は、送信部１０２からスケジューリング情報送信情報が入力された時間からの経過時間に基づいて、所定の時間が経過しても、受信確認応答が入力されない場合、移動局２００においてスケジューリング情報が受信できなかったと判断する。スケジューリング情報受信判定部１１４は、スケジューラ１０８に対して、移動局２００に送信したスケジューリング情報に対応する割当てる予定であったＴＴＩを構成するサブフレームで、データ送信を送信するため、再スケジューリングを行うように命令する。
【００３３】
スケジューラ１０８は、スケジューリング情報受信判定部１１４からの再スケジューリングを行う命令に応じて、再スケジューリングを行う。例えば、スケジューラ１０８は、トランスポートブロック（Ｔｒａｎｓｐｏｒｔ  Ｂｌｏｃｋ：  ＴＢ）内の複数のＲＬＣ−ＰＤＵの分割およびＴＢの組直し（再多重）を行う。
【００３４】
例えば、スケジューラ１０８は、割り当てる予定であった無線リソースを使用し続ける場合、割り当てる予定であったサブフレームよりも少ないサブフレームしか割当てることができないため、その割り当てる予定であったサブフレームよりも少ないサブフレームを再分割し、そのユーザに対して割り当てる。
【００３５】
また、スケジューラ１０８は、割り当てる予定であったサブフレームよりも少ないサブフレームに対して、そのサブフレームに多重されているデータの一部を割り当てるようにしてもよい。また、スケジューラ１０８は、割り当てる予定であったサブフレームよりも少ないサブフレームを他のユーザに割り当てるようにしてもよい。この場合、割り当てる予定であったユーザに対しては、他のタイミングで、スケジューリングが行われる。
【００３６】
次に、本実施例にかかる移動局２００について、図６を参照して説明する。
【００３７】
移動局２００は、受信部２０２と、共有チャネル復号部２０４と、スケジューリング情報復号部２０６と、共有チャネル受信確認応答生成部２０８と、受信確認応答生成手段としてのスケジューリング情報受信確認応答生成部２１０と、送信部２１２とを備える。
【００３８】
基地局１００により送信されたスケジューリング情報は、受信部２０２により受信され、スケジューリング情報復号部２０６に入力される。
【００３９】
スケジューリング情報復号部２０６は、入力されたスケジューリング情報を復号し、自移動局２００に無線リソースが割り当てられているか否かを判断し、割り当てられていると判断した場合、スケジューリング情報受信確認応答生成部２１０にスケジューリング情報が受信されたことを通知する。
【００４０】
スケジューリング情報受信確認応答生成部２１０は、スケジューリング情報復号部２０６により入力されたスケジューリング情報の受信通知に応じて、スケジューリング情報受信確認応答を生成し、送信部２１２を介して、基地局１００に送信する。
【００４１】
また、スケジューリング情報復号部２０６は、スケジューリング情報の復号結果を共有チャネル復号部２０４に入力する。
【００４２】
また、受信部２０２は、スケジューリング情報受信確認応答を送信した後に、共有チャネルの受信を行い、共有チャネル復号部２０４に入力する。
【００４３】
共有チャネル復号部２０４は、入力された共有チャネルを復号し、上位層に通知する。また、共有チャネル復号部２０４は、共有チャネルの復号が終了した場合、共有チャネルの復号が終了したことを示す共有チャネル復号終了通知を共有チャネル受信確認応答生成部２０８に入力する。
【００４４】
共有チャネル受信確認応答生成部２０８は、共有チャネル復号部２０４により入力された共有チャネル復号終了通知に応じて、共有チャネル受信確認応答を生成し、送信部２１２を介して、基地局１００に通知する。
【００４５】
次に、本実施例にかかる無線通信システムの動作について説明する。
【００４６】
基地局１００の動作について、図７を参照して説明する。
【００４７】
スケジューラ１０８は、新規に共有チャネルの送信機会の割当てを行う（ステップＳ７０２）。例えば、スケジューラ１０８は、移動局に割り当てる複数のサブフレームにより構成されるＴＴＩ長を可変に制御し、共有チャネルの送信機会の割り当てを行う。
【００４８】
次に、スケジューリング情報生成部１０４は、スケジューリング情報メッセージの生成を行う（ステップＳ７０４）。
【００４９】
次に、送信部１０２は、スケジューリング情報の送信を行う（ステップＳ７０６）。
【００５０】
次に、スケジューリング情報受信判定部１１４は、スケジューリング情報の受信確認応答を受信したか否かを判定する（ステップＳ７０８）。
【００５１】
スケジューリング情報の受信確認応答を受信したと判断した場合（ステップＳ７０８：ＹＥＳ）、送信部１０２は、共有チャネル生成部１０６において生成した共有チャネルを送信する（ステップＳ７１０）。送信した共有チャネルに対する受信確認応答が移動局２００から送信され、共有チャネル受信判定部１１６は、受信した受信確認応答に基づいて、共有チャネルが移動局２００に受信されたか否かを判定する。共有チャネルが移動局２００に受信されていないと判定した場合、共有チャネル受信判定部１１６は、送信部１０２に再送することを命令する。
【００５２】
共有チャネルが移動局２００に受信されたと判定した場合、共有チャネル受信判定部１１６は、スケジューラ１０８に共有チャネルが移動局２００に受信されたことを通知する。
【００５３】
次に、スケジューラ１０８は、共有チャネルの送達が完了したか否かを判断する（ステップＳ７１４）。
【００５４】
共有チャネルの送達が完了したと判断した場合（ステップＳ７１４：ＹＥＳ）、ステップＳ７０２に戻る。
【００５５】
一方、共有チャネルの送達が完了したと判断されない場合（ステップＳ７１４：ＮＯ）、ステップＳ７０４に戻る。
【００５６】
ステップＳ７０８において、スケジューリング情報受信確認応答を受信していないと判断した場合（ステップＳ７０８：ＮＯ）、例えば、スケジューリング情報を送信した時間から所定の時間が経過した場合、スケジューリング情報受信判定部１１４は、スケジューラ１０８に対して、下りチャネルの再割当てを行うように命令する。スケジューラ１０８は、スケジューリング情報受信判定部１１４による命令にしたがって、下り共有チャネルの再割当てを行う（ステップＳ７１２）。次に、ステップＳ７０４に戻る。
【００５７】
移動局２００の動作について、図８を参照して説明する。基地局１００により送信されたスケジューリング情報は、受信部２０２により受信され、スケジューリング情報復号部２０６に入力される（ステップＳ８０２）。
【００５８】
次に、スケジューリング情報復号部２０６は、スケジューリング情報を復号し、スケジューリング情報の受信が成功したか否か、例えばスケジューリング情報の復号が成功したか否かを判断する（ステップＳ８０４）。
【００５９】
スケジューリング情報の受信が成功したと判断した場合（ステップＳ８０４：ＹＥＳ）、スケジューリング情報復号部２０６は、スケジューリング情報受信確認応答生成部２１０に対して、スケジューリング情報受信確認応答を生成するように命令する。スケジューリング情報受信確認応答生成部２１０は、スケジューリング情報復号部２０６による命令にしたがって、スケジューリング情報受信確認応答を生成し、送信部２１２を介して送信する（ステップＳ８０６）。
【００６０】
一方、スケジューリング情報の受信が成功したと判断されない場合（ステップＳ８０４：ＮＯ）、ステップＳ８０２に戻る。
【００６１】
次に、本発明の他の実施例にかかる無線通信システムについて説明する。
【００６２】
本実施例にかかる無線通信システムは、上述した実施例と同様に基地局１００と、移動局２００とを備える。
【００６３】
本実施例にかかる無線通信システムでは、基地局１００は、移動局２００に対してスケジューリング情報の受信確認応答の要求を行うか否かを判断する。
【００６４】
本実施例にかかる基地局１００について、図９を参照して説明する。
【００６５】
基地局１００は、図４を参照して説明した基地局と、受信確認応答要求判定手段としてのスケジューリング情報受信確認応答要求判定部１１８を備える点で異なる。
【００６６】
スケジューリング情報受信確認応答要求判定部１１８は、スケジューリング情報に対する受信確認応答の要求を行うか否かを判断する。例えば、スケジューリング情報受信確認応答要求判定部１１８は、移動局２００に割り当てるサブフレーム数に基づいて、所定のサブフレーム数以上である場合に、受信確認応答の要求を行うと判断する。
【００６７】
また、スケジューリング情報受信確認応答要求判定部１１８は、移動局２００から通知されるＣＱＩ（Ｃｈａｎｎｅｌ  Ｑｕａｌｉｔｙ  Ｉｎｄｉｃａｔｏｒ）などの受信品質情報に基づいて、移動局２００に対してスケジューリング情報の受信確認応答要求を行うか否かを判断するようにしてもよい。この場合、スケジューリング情報受信確認応答要求判定部１１８には、移動局２００から送信される受信品質情報が入力される。例えば、スケジューリング情報受信確認応答要求判定部１１８は、所定の受信品質よりも悪い場合に、移動局２００においてスケジューリング情報が受信されない場合があると判断し、受信確認応答の要求を行うと判断する。
【００６８】
また、スケジューリング情報受信確認応答要求判定部１１８は、移動局２００からの受信信号の品質に基づいて、移動局２００に対してスケジューリング情報の受信確認応答要求を行うか否かを判断するようにしてもよい。例えば、スケジューリング情報受信確認応答要求判定部１１８は、所定の品質よりも悪い場合に、移動局２００においてスケジューリング情報が受信されない場合があると判断し、受信確認応答の要求を行うと判断する。
【００６９】
スケジューリング情報受信確認応答要求判定部１１８は、移動局２００に対してスケジューリング情報の受信確認応答の要求を行うと判断した場合、スケジューリング情報生成部１０４に、受信確認応答要求を行うことを通知する。スケジューリング情報生成部１０４は、スケジューリング情報受信確認応答要求判定部１１８から受信確認応答要求を行うことを通知された場合、受信確認応答の要求を行うことを示す情報を含むスケジューリング情報を生成する。例えば、スケジューリング情報生成部１０４は、受信確認応答を要求するか否かを示すフラグを含むスケジューリング情報を生成する。
【００７０】
本実施例にかかる移動局２００について、図１０を参照して説明する。
【００７１】
移動局２００は、図６を参照して説明した移動局と、受信品質情報生成部２１４を備える点で異なる。
【００７２】
受信品質情報生成部２１４は、基地局１００からの受信信号に基づいて、ＣＱＩ（Ｃｈａｎｎｅｌ  Ｑｕａｌｉｔｙ  Ｉｎｄｉｃａｔｏｒ）などの受信品質情報を生成し、送信部２１２を介して基地局１００に通知する。
【００７３】
スケジューリング情報復号部２０６は、基地局１００から送信されたスケジューリング情報を復号し、受信確認応答が要求されているか否かを判断する。スケジューリング情報復号部２０６は、受信確認応答が要求されていると判断した場合に、スケジューリング情報受信確認応答生成部２１０に、受信確認応答を生成するように命令する。ここで、スケジューリング情報復号部２０６は、スケジューリング情報の一部が復号された段階で、スケジューリング情報受信確認応答生成部２１０に、受信確認応答を生成するように命令するようにしてもよい。スケジューリング情報の一部が復号されたことにより、他の情報も復号できると推測できる。このようにすることにより、受信確認応答を送信するまでの遅延を低減することができる。例えば、スケジューリング情報復号部２０６は、スケジューリング情報のうち、無線リソースの割り当てを示す情報が復号された段階で、スケジューリング情報受信確認応答生成部２１０に、受信確認応答を生成するように命令する。
【００７４】
また、送信部２１２は、受信確認応答を、レイヤ１制御情報として送信するようにしてもよい。
【００７５】
次に、本実施例にかかる無線通信システムの動作について説明する。
【００７６】
基地局１００の動作について、図１１を参照して説明する。
【００７７】
スケジューラ１０８は、新規に共有チャネルの送信機会の割当てを行う（ステップＳ１１０２）。
【００７８】
次に、スケジューリング情報受信確認応答要求判定部１１８は、移動局２００に割り当てるサブフレーム数に基づいて、受信確認応答を要求するか否かを判断する。例えば、スケジューリング情報受信確認応答要求判定部１１８は、移動局２００に割り当てるサブフレーム数が所定の値より少ない場合、受信確認応答を要求しなくても、そのことで生じる移動局における受信誤りによる損失、またそのことで生じる遅延は小さいと判断し、受信確認応答を要求しないと判断する。
【００７９】
一方、スケジューリング情報受信確認応答要求判定部１１８は、移動局２００に割り当てるサブフレーム数が所定の値より多い場合、受信確認応答を要求せず、移動局２００においてスケジューリング情報の受信誤りが生じ、共有チャネルを送信した場合、そのことで生じる移動局における受信誤りによる損失、またその再送により生じる遅延は大きいと判断し、受信確認応答を要求すると判断する。
【００８０】
受信確認応答を要求すると判断した場合（ステップＳ１１０４：ＹＥＳ）、スケジューリング情報生成部１０４は、受信確認応答を要求する情報を含むスケジューリング情報メッセージの生成を行う（ステップＳ１１０６）。
【００８１】
次に、送信部１０２は、スケジューリング情報の送信を行う（ステップＳ１１０８）。
【００８２】
次に、スケジューリング情報受信判定部１１４は、スケジューリング情報の受信確認応答を受信したか否かを判定する（ステップＳ１１１０）。
【００８３】
スケジューリング情報の受信確認応答を受信したと判断した場合（ステップＳ１１１０：ＹＥＳ）、送信部１０２は、共有チャネル生成部１０６において生成した共有チャネルを送信する（ステップＳ１１１２）。送信した共有チャネルに対する受信確認応答が移動局２００から送信され、共有チャネル受信判定部１１６は、受信した受信確認応答に基づいて、共有チャネルが移動局２００に受信されたか否かを判定する。共有チャネルが移動局２００に受信されていないと判定した場合、共有チャネル受信判定部１１６は、送信部１０２に再送することを命令する。
【００８４】
共有チャネルが移動局２００に受信されたと判定した場合、共有チャネル受信判定部１１６は、スケジューラ１０８に共有チャネルが移動局２００に受信されたことを通知する。
【００８５】
次に、スケジューラ１０８は、共有チャネルの送達が完了したか否かを判断する（ステップＳ１１１４）。
【００８６】
共有チャネルの送達が完了したと判断した場合（ステップＳ１１１４：ＹＥＳ）、ステップＳ１１０２に戻る。
【００８７】
一方、共有チャネルの送達が完了したと判断されない場合（ステップＳ１１１４：ＮＯ）、ステップＳ１１０６に戻る。
【００８８】
ステップＳ１１１０において、下りスケジューリング情報受信確認応答を受信していないと判断した場合（ステップＳ１１１０：ＮＯ）、例えば、スケジューリング情報を送信した時間から所定の時間が経過した場合、スケジューリング情報受信判定部１１４は、スケジューラ１０８に対して、下りチャネルの再割当てを行うように命令する。スケジューラ１０８は、スケジューリング情報受信判定部１１４による命令にしたがって、下り共有チャネルの再割当てを行う（ステップＳ１１１６）。次に、ステップＳ１１０６に戻る。
【００８９】
ステップＳ１１０４において、受信確認応答の要求を行わないと判断した場合（ステップＳ１１０４：ＮＯ）、スケジューリング情報生成部１０４は、スケジューリング情報メッセージの生成を行う（ステップＳ１１１８）。
【００９０】
次に、送信部１０２は、スケジューリング情報の送信を行う（ステップＳ１１２０）。次に、ステップＳ１１１２に遷移する。
【００９１】
移動局２００の動作について、図１２を参照して説明する。
【００９２】
移動局２００は、受信品質情報生成部２１４において、基地局１００からの受信信号に基づいて、ＣＱＩ（Ｃｈａｎｎｅｌ  Ｑｕａｌｉｔｙ  Ｉｎｄｉｃａｔｏｒ）などの受信品質情報を生成し、基地局１００に通知する。
【００９３】
基地局１００により送信されたスケジューリング情報は、受信部２０２により受信され、スケジューリング情報復号部２０６に入力される（ステップＳ１２０２）。
【００９４】
次に、スケジューリング情報復号部２０６は、スケジューリング情報を復号し、スケジューリング情報の受信が成功したか否か、例えばスケジューリング情報の復号が成功したか否かを判断する（ステップＳ１２０４）。
【００９５】
スケジューリング情報の受信が成功したと判断した場合（ステップＳ１２０４：ＹＥＳ）、スケジューリング情報復号部２０６は、スケジューリング情報に受信確認応答を要求する情報が含まれているか否かを判断する（ステップＳ１２０６）。
【００９６】
スケジューリング情報に受信確認応答を要求する情報が含まれている場合（ステップＳ１２０６：ＹＥＳ）、スケジューリング情報復号部２０６は、スケジューリング情報受信確認応答生成部２１０に対して、スケジューリング情報受信確認応答を生成するように命令する。スケジューリング情報受信確認応答生成部２１０は、スケジューリング情報復号部２０６による命令にしたがって、スケジューリング情報受信確認応答を生成し、送信部２１２を介して送信する（ステップＳ１２０８）。
【００９７】
一方、スケジューリング情報の受信が成功したと判断されない場合（ステップＳ１２０４：ＮＯ）およびスケジューリング情報に受信確認応答を要求する情報が含まれていない場合（ステップＳ１２０６：ＮＯ）、ステップＳ１２０２に戻る。
【００９８】
本実施例においては、基地局１００は、移動局２００から通知される受信品質情報に基づいて、スケジューリング情報に対する受信確認応答を要求するか否かを判断する場合について説明したが、移動局２００から送信される上りリンクのデータチャネルなどの受信信号の品質に基づいて判断するようにしてもよい。
【００９９】
また、本実施例においては、基地局１００がスケジューリング情報に対する受信確認応答を要求することを、スケジューリング情報により、移動局２００に通知する場合について説明したが、ＲＲＣにより移動局２００に通知するようにしてもよい。この場合、基地局１００では、図１３に示すように、ＲＲＣ１２０からスケジューリング情報の受信確認応答を要求するか否かを示す情報がスケジューリング情報受信確認応答要求判定部１１８に入力される。また、移動局２００では、図１４に示すように、ＲＲＣ２１６からスケジューリング情報の受信確認応答を要求するか否かを示す情報がスケジューリング情報受信確認応答生成部２１０に入力される。
【産業上の利用可能性】
【０１００】
本発明にかかる基地局、移動局および通信方法は、無線通信システムに適用できる。
【図面の簡単な説明】
【０１０１】
【図１】ＨＳＤＰＡにおける送信機会の割当てを示す説明図である。
【図２】本発明の一実施例にかかる無線通信システムにおける送信機会の割当てを示す説明図である。
【図３】本発明の一実施例にかかる無線通信システムにおける送信タイミングを示す説明図である。
【図４】本発明の一実施例にかかる基地局を示す部分ブロック図である。
【図５】本発明の一実施例にかかるスケジューリング情報の一例を示す説明図である。
【図６】本発明の一実施例にかかる移動局を示す部分ブロック図である。
【図７】本発明の一実施例にかかる基地局の動作を示す説明図である。
【図８】本発明の一実施例にかかる移動局の動作を示す説明図である。
【図９】本発明の一実施例にかかる基地局を示す部分ブロック図である。
【図１０】本発明の一実施例にかかる移動局を示す部分ブロック図である。
【図１１】本発明の一実施例にかかる基地局の動作を示す説明図である。
【図１２】本発明の一実施例にかかる移動局の動作を示す説明図である。
【図１３】本発明の一実施例にかかる基地局を示す部分ブロック図である。
【図１４】本発明の一実施例にかかる移動局を示す部分ブロック図である。
【符号の説明】
【０１０２】
１００  基地局
２００  移動局
【図１】
2007300508.tif 000003
【図２】
2007300508.tif 000004
【図３】
2007300508.tif 000005
【図４】
2007300508.tif 000006
【図５】
2007300508.tif 000007
【図６】
2007300508.tif 000008
【図７】
2007300508.tif 000009
【図８】
2007300508.tif 000010
【図９】
2007300508.tif 000011
【図１０】
2007300508.tif 000012
【図１１】
2007300508.tif 000013
【図１２】
2007300508.tif 000014
【図１３】
2007300508.tif 000015
【図１４】
2007300508.tif 000016